(57)【要約】【課題】  多数の対象ディスク１２を自動的に順番に処理して、その記録データを自動的に破壊する。データの破壊に失敗したものも自動的に再処理する。【解決手段】データ破壊処理を実行する対象ディスク１２を積層して収納するための供給側収納部１４と、処理済みのディスク１６を収納する排出側収納部１８と、対象ディスク１２を受け入れて回転駆動するトレイ２４と、当該対象ディスク１２に記録されたデータの破壊処理をする処理ヘッド２６を備えたドライブ２８と、供給側収納部１４に収納された対象ディスク１２を１枚ずつ取り上げるグリッパと、グリッパを移動させる搬送部３２と制御部３４とを備え、対象ディスク１２を供給側収納部１４から搬送させドライブ２８にセットしデータの破壊処理を実行させ、排出側収納部１８に搬送させる処理を繰り返す。【選択図】図１
2008287751.tif 000002
【特許請求の範囲】
【請求項１】
データ破壊処理を実行する対象ディスクを積層して収納するための供給側収納部と、処理済みのディスクを収納する排出側収納部と、
前記対象ディスクを受け入れて回転駆動する駆動機構と、当該対象ディスクに記録されたデータの破壊処理をする処理ヘッドとを備えたドライブと、
前記供給側収納部に収納された前記対象ディスクを、１枚ずつ取り上げるグリッパと、
前記グリッパを移動させる移動機構を有する搬送部と、
前記搬送部と前記ドライブとを連携制御する制御部とを備え、
この制御部は、前記搬送部と前記グリッパを制御して、前記対象ディスクを前記供給側収納部から取り上げて前記ドライブまで搬送させ、前記対象ディスクを前記ドライブにセットし、前記ドライブを制御して、前記対象ディスクに記録されたデータの破壊処理を実行させ、その後、前記搬送部と前記グリッパを制御して、前記ドライブから処理済みのディスクを前記排出側収納部に搬送させるという一連の処理を繰り返すことを特徴とするディスク自動廃棄処理装置。
【請求項２】
請求項１に記載のディスク自動廃棄処理装置において、
前記処理ヘッドは、前記対象ディスクに記録された情報を破壊するためのレーザ装置を備えることを特徴とするディスク自動廃棄処理装置。
【請求項３】
請求項１または２に記載のディスク自動廃棄処理装置において、
前記ドライブから処理済みのディスクを前記排出側収納部に搬送するための搬送路中に、前記処理済みのディスクに前記対象ディスクと区別をするためのマークを付するマーカ装置が配置されていることを特徴とするディスク自動廃棄処理装置。
【請求項４】
請求項１乃至３のいずれかに記載のディスク自動廃棄処理装置において、
不正処理ディスクを積層して収納するリジェクト収納部を設け、前記搬送部は、前記ドライブにおいてデータの破壊処理に失敗した不正処理ディスクを、当該ドライブから前記リジェクト収納部へ搬送させることを特徴とするディスク自動廃棄処理装置。
【請求項５】
請求項４に記載のディスク自動廃棄処理装置において、
前記不正処理ディスクを前記リジェクト収納部へ搬送するとき、前記不正処理ディスクの表裏判定処理を実行し、不正処理ディスクの表裏を正常化する表裏反転機構を備えたことを特徴とするディスク自動廃棄処理装置。
【請求項６】
請求項１乃至５のいずれかに記載のディスク自動廃棄処理装置において、
前記排出側収納部は、外付け容器を装着する開口を備えることを特徴とするディスク自動廃棄処理装置。
【請求項７】
請求項１乃至６のいずれかに記載のディスク自動廃棄処理装置において、
前記ドライブは、データ読み取りヘッドとデータ書き込みヘッドとを備え、前記データ書き込みヘッドは前記処理ヘッドとして使用され、
生ディスクへのデータ書き込み処理と、対象ディスクのデータ破壊処理のいずれか、指定された処理を選択するモード切り換え手段を備えることを特徴とするディスク自動廃棄処理装置。
【発明の詳細な説明】
【技術分野】
【０００１】
本発明は、多数のＣＤやＤＶＤに記録されたプログラムやデータを自動的に連続的に破壊して廃棄処理を可能にするディスク自動廃棄処理装置に関する。
【背景技術】
【０００２】
コンピュータプログラムをデータ書き込み可能なＣＤ−ＲやＤＶＤ−Ｒ等のディスクに記録をする業務を行う業者は、バージョンの古くなったプログラムやデータを記録したものの廃棄処理を頻繁に行う。この目的のために、例えば、ディスクを機械的、化学的に破壊する方法等が開発されている（特許文献１参照）。
【特許文献１】特開平１０−２１４４２４号公報
【発明の開示】
【発明が解決しようとする課題】
【０００３】
既知の従来の技術には、次のような解決すべき課題があった。
ディスクの記録データを完全に消去するには、一枚につき数分程度の時間がかかる。多数のディスクの処理が必要な場合、その作業に長時間拘束されること避けたい。これには、既存の自動搬送機構を利用することが考えられる。しかし、万一記録消去に失敗したものが混在していると重大な問題になる。従って、全自動であって、信頼性が高く、管理の容易な装置の開発が望まれる。
上記の課題を解決するために、本発明では、多数の対象ディスクを自動的に順番に処理して、その記録データを自動的に破壊する。さらに、データの破壊に失敗したものをストックして、再度データの破壊処理を自動的に実行する。
【課題を解決するための手段】
【０００４】
以下の構成はそれぞれ上記の課題を解決するための手段である。
〈構成１〉
データ破壊処理を実行する対象ディスクを積層して収納するための供給側収納部と、処理済みのディスクを収納する排出側収納部と、上記対象ディスクを受け入れて回転駆動する駆動機構と、当該対象ディスクに記録されたデータの破壊処理をする処理ヘッドとを備えたドライブと、上記供給側収納部に収納された上記対象ディスクを、１枚ずつ取り上げるグリッパと、上記グリッパを移動させる移動機構を有する搬送部と、上記搬送部と上記ドライブとを連携制御する制御部とを備え、この制御部は、上記搬送部と上記グリッパを制御して、上記対象ディスクを上記供給側収納部から取り上げて上記ドライブまで搬送させ、上記対象ディスクを上記ドライブにセットし、上記ドライブを制御して、上記対象ディスクに記録されたデータの破壊処理を実行させ、その後、上記搬送部と上記グリッパを制御して、上記ドライブから処理済みのディスクを上記排出側収納部に搬送させるという一連の処理を繰り返すことを特徴とするディスク自動廃棄処理装置。
【０００５】
対象ディスクを供給側収納部に収納し、１枚ずつ取り上げてドライブに搬送して、データの破壊処理をしたら処理済みのディスクを排出側収納部に収納する。この処理を繰り返し自動連続運転ができるので、多数の対象ディスクのデータの破壊処理を無人で実行できる。ドライブはディスク自体を機械的に破壊したり変質させないので、再利用できる状態で排出できる。
【０００６】
〈構成２〉
構成１に記載のディスク自動廃棄処理装置において、上記処理ヘッドは、上記対象ディスクに記録された情報を破壊するためのレーザ装置を備えることを特徴とするディスク自動廃棄処理装置。
【０００７】
レーザ装置を用いて対象ディスクに記録された情報を破壊することができる。これには、例えば、既存のデータ書き込み装置とほぼ同一の構成で書込み制御をデータ破壊用に特化したものを利用することができる。
【０００８】
〈構成３〉
構成１または２に記載のディスク自動廃棄処理装置において、上記ドライブから処理済みのディスクを上記排出側収納部に搬送するための搬送路中に、上記処理済みのディスクに上記対象ディスクと区別をするためのマークを付するマーカ装置が配置されていることを特徴とするディスク自動廃棄処理装置。
【０００９】
処理済みディスクを未処理の対象ディスクと外観上簡単に区別できるように、マークを付するとよい。マークは、吹きつけやスタンプ用塗料等を使用することが好ましい。また、ラベルであって、マーカ装置が貼り付け機構を有していてもよい。
【００１０】
〈構成４〉
構成１乃至３のいずれかに記載のディスク自動廃棄処理装置において、不正処理ディスクを積層して収納するリジェクト収納部を設け、上記搬送部は、上記ドライブにおいてデータの破壊処理に失敗した不正処理ディスクを、当該ドライブから上記リジェクト収納部へ搬送させることを特徴とするディスク自動廃棄処理装置。
【００１１】
例えば、ドライブの読み取りヘッドにより、対象ディスクのデータ管理領域を読み取ったとき、読み取りができないならば、対象ディスクの表裏が逆転している可能性がある。このとき、対象ディスクを不正処理ディスクと判定し、ドライブから取り出して、リジェクト収納部に送る。データ破壊処理ができなかったディスクを区別し、再度データ破壊処理を実行することができる。
【００１２】
〈構成５〉
構成４に記載のディスク自動廃棄処理装置において、上記不正処理ディスクを上記リジェクト収納部へ搬送するとき、上記不正処理ディスクの表裏判定処理を実行し、不正処理ディスクの表裏を正常化する表裏反転機構を備えたことを特徴とするディスク自動廃棄処理装置。
【００１３】
データ破壊ができない主要な原因が表裏の逆転である。そこで、自動的に表裏反転をして正常な状態にする機構を備えることにより、連続自動運転を終了した後に、ほぼ全部の対象ディスクについて処理を終了させることができる。
【００１４】
〈構成６〉
構成１乃至５のいずれかに記載のディスク自動廃棄処理装置において、上記排出側収納部は、外付け容器を装着する開口を備えることを特徴とするディスク自動廃棄処理装置。
【００１５】
上記の機構により、データの破壊に失敗したものは排出側収納部に送られない。処理済みディスクは、そのまま容器等に収納して外部に搬出できる。そこで、外付け容器を装着する開口を設けて、外付け容器で処理済みディスクを受けるようにした。外付け容器が満杯になったら別のものに交換する。これにより、連続的に処理できる枚数が増加する。
【００１６】
〈構成７〉
構成１乃至６のいずれかに記載のディスク自動廃棄処理装置において、上記ドライブは、データ読み取りヘッドとデータ書き込みヘッドとを備え、上記データ書き込みヘッドは上記処理ヘッドとして使用され、生ディスクへのデータ書き込み処理と、対象ディスクのデータ破壊処理のいずれか、指定された処理を選択するモード切り換え手段を備えることを特徴とするディスク自動廃棄処理装置。
【００１７】
データのコピー機能を持った装置にモード切り換え手段を設けて、生ディスクへのデータ書き込み処理と、対象ディスクのデータ破壊処理の両方を実行できる装置にした。これで、スペース的にもコスト的にもユーザーに貢献する。また、生ディスクへのデータ書き込み処理も対象ディスクのデータ破壊処理も、全自動で無人運転ができる。
【発明を実施するための最良の形態】
【００１８】
以下、本発明の実施の形態を実施例毎に詳細に説明する。
【実施例１】
【００１９】
図１は実施例１のディスク自動廃棄処理装置を示し、（ａ）はその外観斜視図、（ｂ）は主要部のブロック図である。
図の（ｂ）に示すように、ディスク自動廃棄処理装置１０は、対象ディスク１２を積層して収納する供給側収納部１４と、処理済みのディスク１６を排出する排出側収納部１８を備えている。さらに、データ破壊処理ができなっかた不正処理ディスク２０を収納するリジェクト収納部２２を備えている。
【００２０】
また、データ破壊処理は、上下に重なるように配置した２台のドライブ２８で行う。ドライブ２８は、トレイ２４とターンテーブル２５と処理ヘッド２６を備えている。対象ディスクをトレイ２４に乗せて内部に引き込み、ターンテーブル２５で回転駆動する、例えば、レーザ光を照射して、ディスクの記録面に不規則なデータを書き込む。この実施例では、ドライブ２８は、ＣＤ−Ｒ等のディスクに正常なデータを記録する機能を持つ。その機能をそのまま使用して、データの破壊処理をする。ディスクを自動的に取り上げて搬送するために、グリッパ３０と搬送部３２を備えている。制御部３４は、搬送部３２とドライブ２８とグリッパ３０とを連携制御し、装置の全ての動作を制御する。
【００２１】
グリッパ３０は、ディスクの中心の孔に突起を嵌め込んでディスクを取り上げる機能を持つ。このような装置は既知のもので、詳細な構造説明を省略する。搬送部３２は、グリッパ３０を所定の場所から所定の場所に移動させる機能を持つ。上記の制御部３４は、搬送部３２とグリッパ３０を制御して、対象ディスク１２を供給側収納部１４から取り上げてドライブ２８まで搬送させる。対象ディスク１２をドライブ２８にセットし、ドライブ２８を制御して、対象ディスク１２に記録されたデータの破壊処理を実行させる。その後、搬送部３２とグリッパ３０を制御して、ドライブ２８から処理済みのディスク１６を排出側収納部１８に搬送させるという一連の処理を繰り返す。
【００２２】
即ち、対象ディスク１２を供給側収納部１４に収納し、自動的に１枚ずつ取り上げてドライブ２８に搬送する。この図の例では供給側収納部１４は２個設けられている。グリッパ３０は例えば、交互に一方の供給側収納部１４から対象ディスク１２を取り上げる。データの破壊処理をしたら対象ディスク１２を自動的に排出側収納部１８に搬送する。この処理を繰り返して自動連続運転をする。２個のドライブ２８は、交互にトレイ２４を開いて対象ディスク１２を受け入れる。処理時間は数分程かかるので、このように複数のドライブ２８を設けることで全体として処理の高速化が可能になる。このドライブ２８の数は任意である。
【００２３】
なお、供給側収納部１４には、対象ディスク１２が収納されているかどうかを検知するセンサ２７が設けられている。リジェクト収納部２２には、不正処理ディスク２０が一杯になったかどうかを検知するセンサ２９が設けられている。これらはいずれも光反射型等の既知のセンサである。センサ２７とセンサ２９の出力信号は制御部３４に伝達される。これらにより、対象ディスク１２が供給側収納部１４に収納されており、リジェクト収納部２２が不正処理ディスク２０で一杯になっていない状態で、通常の動作をする。
【００２４】
図２は、装置各部の具体的な構成説明図で、（ａ）は供給側収納部１４やリジェクト収納部２２の構成を示す斜視図、（ｂ）はドライブ２８とその駆動機構２３や処理ヘッド２６の斜視図である。また、（ｃ）は搬送部３２の側面図である。
図の（ａ）において、供給側収納部１４等や図示しないリジェクト収納部２２には、対象ディスク１２を重ねて収容する筒状の壁が設けられ、その一部にスリット１５が設けられている。（ｃ）に示す搬送部３２のグリッパ３０を支えるアーム３１は、このスリット１５を通って下降し、供給側収納部１４の一番上に重ねられた対象ディスク１２を取り上げる。（ｂ）の斜め右上に図示した一点鎖線の円は、ドライブ２８の内部を示す。（ｂ）に示すように、ドライブ２８の駆動機構２３は、トレイ２４とターンテーブル２５とから構成されている。トレイ２４は対象ディスク１２を乗せてドライブ２８の内部に引き込む。ターンテーブル２５は、対象ディスクを回転駆動する。ドライブ２８の内部では、処理ヘッド２６によるデータの書き込みが行なわれる。
【００２５】
図２の（ｃ）に示すように、グリッパ３０は搬送部３２のアーム３１の先端に下向きに取り付けられている。そして、ポール３３に沿って垂直方向に移動する。また、ポール３３は、レール３５上で、水平方向に移動する。これにより、グリッパ３０は制御部３４（図１）に指定された場所まで移動して、ディスクを取り上げたり移したりすることができる。もちろん、アームがスイングしたり伸縮するような機構でも構わない。なお、アーム３１には、後で説明するマーカ装置３８が固定されている。これは、制御部３４の制御により、処理済みディスクにインク等でマークを施す機能を持つ。
【００２６】
図３と図４とは、搬送部３２の動作説明図で、図３は搬送部３２の正面図、図４は搬送部３２の側面図である。
まず、図３に示すように、グリッパ３０は図の破線に示す経路に沿って移動し、黒丸印の部分で一時停止して、ディスクの取り上げ等をする。始めに、グリッパ３０は、供給側収納部１４Ａから対象ディスク１２を取り上げる。そして、破線に沿って移動し、ドライブ２８Ａのトレイ２４に対象ディスク１２を乗せる。トレイ２４はこの動作の直前に右側に引き出されている。トレイ２４は、対象ディスク１２を受け入れると、ドライブ２８Ａの内部に引き込まれる。ドライブ２８Ａは、ディスクの破壊処理を開始する。
【００２７】
次に、グリッパ３０は、供給側収納部１４Ｂから対象ディスク１２を取り上げる。そして、ドライブ２８Ｂのトレイ２４に対象ディスク１２を乗せる。この直前のタイミングでトレイ２４は右側に引き出されている。トレイ２４は、対象ディスク１２を受け入れると、ドライブ２８Ｂの内部に引き込まれる。ドライブ２８Ｂは、ディスクの破壊処理を開始する。その後ドライブ２８Ａで対象ディスク１２のデータ破壊処理が終了すると、トレイ２４が右側に引き出される。
【００２８】
グリッパ３０はそのトレイ上の対象ディスク１２を取り上げる。トレイ２４が閉まると、グリッパ３０は下降して、対象ディスク１２を排出側収納部１８に搬送して落下させる。こうして、処理済みのディスク１６が排出側収納部１８に蓄積される。その後は、再び供給側収納部１４Ａから新たな対象ディスク１２を取り上げる。以上のように、多数の対象ディスク１２のデータの破壊処理を自動的に連続的に実行できる。ドライブ２８はディスク自体を機械的に破壊したり変質させないので、処理済みのディスク１６を再利用できる状態で排出できる。
【実施例２】
【００２９】
上記の処理ヘッド２６（図２）は、例えば、対象ディスク１２に記録された情報を破壊するためのレーザ装置３６を備える。ディスク表面にピットと呼ばれる微小な凹みをつけてデータを記録するものでは、無秩序に多くのピットを追記する方法でデータが破壊できる。処理ヘッド２６は、これ以外に、既知の任意の方法でデータの破壊処理をすればよい。
【００３０】
ここで、図３の実施例では、不正処理ディスク２０を積層して収納するリジェクト収納部２２を設けた。データ破壊処理の直前に、ドライブ２８の読み取りヘッドにより、対象ディスク１２のデータ管理領域を読み取る。ここで、データの読み取りができないならば、対象ディスク１２の表裏が反転している可能性がある。これでは、データ破壊処理ができない。そのとき、対象ディスク１２を不正処理ディスク２０と判定し、ドライブ２８のトレイ２４を右側に引き出す。搬送部３２は、その不正処理ディスク２０を、トレイ２４からリジェクト収納部２２へ搬送する。図示しないオペレータは、リジェクト収納部２２に収納されたディスクを手に取って、データ破壊処理ができなかった原因を確認し、必要に応じて表裏を反転させ、供給側収納部１４に戻す。
【実施例３】
【００３１】
図５は、装置各部の変形例を示し、（ａ）は表裏反転機構４０を示す側面図である。
データ破壊ができない主要な原因が、ディスクの表裏の取り違えである。そこで、自動的に表裏反転をする機構を設けた。表裏反転機構４０は、図３の右上に示したような位置に取り付けられる。搬送部３２は、不正処理ディスク２０をリジェクト収納部２２へ搬送する途中で、図の矢印Ｂのように移動して、不正処理ディスク２０を表裏反転機構４０に挟み込む。その後一時グリッパ３０を待避させる。次に、表裏反転機構４０は、図の矢印Ｃに示すように回転して、不正処理ディスク２０の表裏反転処理を実行する。こうして、不正処理ディスク２０の表裏を正常化した後に、再びグリッパ３０が不正処理ディスク２０を掴んで供給側収納部１４に戻す。
【実施例４】
【００３２】
図５において、（ｂ）は開口４４と外付け容器４６を示す斜視図である。
この実施例において、排出側収納部１８は、外付け容器４６を装着する開口４４を備える。上記の機構によれば、データの破壊に失敗したものは排出側収納部１８に送られない。確実にデータを破壊したものだけが、排出側収納部１８に送られる。従って、処理済みディスクは、そのまま容器等に収納して外部に搬出できる。そこで、外付け容器４６で処理済みディスク１６を受ける。外付け容器４６が満杯になったら別のものに交換する。これにより、連続的に処理できる枚数が増加する。
【実施例５】
【００３３】
図２において、搬送部３２のアーム３１には、マーカ装置３８を取り付けた。ドライブ２８から処理済みのディスク１６を排出側収納部１８に搬送する搬送路中で、このマーカ装置３８が作動する。マーカ装置３８は、処理済みのディスク１６に対象ディスク１２と区別をするためのマークを付する。これにより、処理済みディスクを未処理の対象ディスク１２と外観上簡単に区別できる。マークは、吹きつけやスタンプ用塗料等を使用することが好ましい。また、マーカ装置３８が、処理済みディスクに図示しないマークラベルを貼り付けるような機構を有していてもよい。
【実施例６】
【００３４】
図５において、（ｃ）は実施例６の装置の制御ブロック図である。
本発明の装置は、既存のデータ書き込み装置をそのまま利用することもできる。図において、制御部３４は複写制御プログラム５３と破壊制御プログラム５４のいずれかを起動して動作するコンピュータの演算処理装置である。ディスプレイ５２には、処理済みディスクの枚数等が表示される。これは装置の壁面等に取り付けられた小型液晶ディスプレイ等が適する。警告ランプ５０は、データ破壊処理を実行するときに、利用者に注意を促すように点灯する。
【００３５】
装置全体の構成は、これまでの実施例と同様でよい。ドライブ２８は、データ読み取りヘッドとデータ書き込みヘッドとを備える。データ書き込みヘッドは、生ディスクへのデータ書き込み処理と、対象ディスク１２のデータ破壊処理のいずれかに使用される。モード切り換え手段４８は、指定された処理を選択する信号を制御部３４に供給する。モード切り換え手段４８には、機械的に回路をオンオフするスイッチを採用できる。また、ディスプレイに表示されたアイコンをマウスやタッチパネル等で操作するスイッチも採用できる。
【００３６】
コンピュータプログラムをデータ書き込み可能なＣＤやＤＶＤに記録する業務を行う業者は、バージョンの古くなったプログラムやデータを記録したＣＤやＤＶＤの廃棄処理を頻繁に行う。また、データの破壊処理は、データの記録処理をするヘッドで行うことができる。従って、データのコピー機能を持った装置にモード切り換え手段４８を設けて、生ディスクへのデータ書き込み処理と、対象ディスク１２のデータ破壊処理の両方を実行できる装置にした。これで、スペース的にもコスト的にもユーザーに貢献する。また、生ディスクへのデータ書き込み処理も対象ディスク１２のデータ破壊処理も、全自動で無人運転ができる。
【００３７】
図６は、上記の実施例に使用される制御部の概略動作フローチャートである。
まず、図１に示す制御部３４がデータ破壊制御モードで起動する。ステップＳ１１では、供給側収納部１４のセンサ２７の出力を読み取る。ステップＳ１２では、その出力により、供給側収納部１４の中に対象ディスクがあるかどうかという判断をする。この判断の結果がイエスのときはステップＳ１３の処理に移行し、ノーのときはステップＳ１１に戻る。ステップＳ１３では、供給側収納部１４にグリッパ３０を移動する。
【００３８】
ステップＳ１４では、グリッパ３０が対象ディスク１２を取り上げる。ステップＳ１５では、対象ディスク１２をドライブ２８に搬送してセットする。ステップＳ１６では、ドライブ２８が対象ディスク１２のデータ読み取り処理をする。ステップＳ１７では、データが読み取り可能かどうかという判断をする。この判断の結果がイエスのときはステップＳ２２の処理に移行し、ノーのときはステップＳ１８の処理に移行する。
【００３９】
ステップＳ１８では、リジェクト収納部２２のセンサ２７の出力を読み取る。ステップＳ１９では、リジェクト収納部２２が満杯かどうかという判断をする。満杯の場合には処理を終了する。満杯でなければ、ステップＳ２０でディスクの反転をする。その後ステップＳ２１で、そのディスクをリジェクト収納部に搬送する。
【００４０】
一方、正常なディスクはステップＳ２２で、ドライブ２８による破壊処理が実行される。ステップＳ２３で、そのディスクを排出側収納部１８に搬送して排出する。ステップＳ２４では、供給側収納部１４の中の全てのディスクについてデータの破壊処理が終了したかどうかという判断をする。ノーの場合にはステップＳ１１に戻る。こうして連続運転がされる。イエスの場合には装置の動作を終了する。
【図面の簡単な説明】
【００４１】
【図１】実施例１のディスク自動廃棄処理装置を示し、（ａ）はその外観斜視図、（ｂ）は主要部のブロック図である。
【図２】装置各部の具体的な構成説明図で、（ａ）は供給側収納部１４やリジェクト収納部の構成を示す斜視図、（ｂ）はドライブやその駆動機構や処理ヘッドの斜視図である。また、（ｃ）は搬送部３２の側面図である。
【図３】動作説明のための搬送部の正面図である。
【図４】動作説明のための搬送部の側面図である。
【図５】（ａ）は表裏反転機構４０を示す側面図、（ｂ）は予備加熱装置４２を示す側面図、（ｃ）は開口４４と外付け容器４６を示す斜視図、（ｄ）は実施例７の装置の制御ブロック図である。
【図６】上記の実施例に使用される制御部の概略動作フローチャートである。
【符号の説明】
【００４２】
１０  ディスク自動廃棄処理装置
１１  蓋
１２  対象ディスク
１４  供給側収納部
１５  スリット
１６  処理済みのディスク
１８  排出側収納部
２０  不正処理ディスク
２２  リジェクト収納部
２３  駆動機構
２４  トレイ
２５  ターンテーブル
２６  処理ヘッド
２７  センサ
２８  ドライブ
２９  センサ
３０  グリッパ
３１  アーム
３２  搬送部
３３  ポール
３４  制御部
３５  レール
３６  レーザ装置
３８  マーカ装置
４０  表裏反転機構
４２  予備加熱装置
４４  開口
４６  外付け容器
４８  モード切り換え手段
５０  警告ランプ
５２  ディスプレイ
５３  複写制御プログラム
５４  破壊制御プログラム
【図１】
2008287751.tif 000003
【図２】
2008287751.tif 000004
【図３】
2008287751.tif 000005
【図４】
2008287751.tif 000006
【図５】
2008287751.tif 000007
【図６】
2008287751.tif 000008